【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
第１ユーザと第２ユーザとを含むグループに含まれるユーザの端末によって実行されるプログラムであって、
前記第１ユーザの第１端末から送信された第１コンテンツと、前記第２ユーザの第２端末から送信された第２コンテンツとを前記端末の表示部に前記グループのコンテンツとして表示することと、
前記第１端末から前記端末に送信された第３コンテンツを、前記第１ユーザと前記ユーザとのコンテンツとして前記表示部に表示することと、
前記端末に対する入力に基づいて、前記グループのコンテンツとして表示された前記第１コンテンツと、前記第３コンテンツとを、前記第１ユーザと前記ユーザとのコンテンツとして前記表示部に表示することとが前記端末に実行される。
【請求項２】
請求項１に記載のプログラムであって、
前記第１ユーザと前記ユーザとのコンテンツとして前記表示部に表示された前記第１コンテンツは、前記グループのコンテンツとして表示された前記第１コンテンツとは異なる表示態様で前記表示部に表示される。
【請求項３】
請求項２に記載のプログラムであって、
前記第１コンテンツとは異なる表示態様は、前記表示部に表示される色を含む。
【請求項４】
請求項１から請求項３のいずれか一項に記載のプログラムであって、
前記第１ユーザと前記ユーザとのコンテンツとして前記表示部に表示された前記第１コンテンツは、前記第３コンテンツとは異なる表示態様で前記表示部に表示される。
【請求項５】
請求項４に記載のプログラムであって、
前記第３コンテンツとは異なる表示態様は、前記表示部に表示される色を含む。
【請求項６】
請求項１から請求項５のいずれか一項に記載のプログラムであって、
前記端末から前記第１端末に送信された第４コンテンツを、前記第１ユーザと前記ユーザとのコンテンツとして前記表示部に表示することを前記端末に実行させる。
【請求項７】
請求項１から請求項６のいずれか一項に記載のプログラムであって、
前記第１ユーザと前記ユーザとのコンテンツとして前記表示部に表示された前記第１コンテンツと、前記第３コンテンツとは、時系列に沿って前記表示部に表示され、
前記第１ユーザと前記ユーザとのコンテンツとして前記表示部に表示された前記第１コンテンツは、前記第３コンテンツよりも後に前記表示部に表示される。
【請求項８】
請求項７に記載のプログラムであって、
前記グループのコンテンツとして表示された前記第１コンテンツは、前記第３コンテンツが前記第１端末から送信された時刻よりも前に前記第１端末から送信されたコンテンツである。
【請求項９】
請求項１から請求項８のいずれか一項に記載のプログラムであって、
前記端末に対する前記入力は、前記グループのコンテンツが前記表示部に表示された状態で行われる。
【請求項１０】
請求項１から請求項９のいずれか一項に記載のプログラムであって、
前記第１ユーザと前記ユーザとのコンテンツとして表示することは、前記第１ユーザと前記ユーザとの間の１対１トークとして表示することである。
【請求項１１】
請求項１から請求項１０のいずれ一項に記載のプログラムであって、
前記第１コンテンツと、前記第２コンテンツと、前記第３コンテンツとは、サーバを介して前記端末に送信される。
【請求項１２】
第１ユーザと第２ユーザとを含むグループに含まれるユーザの端末の表示方法であって、
前記第１ユーザの第１端末から送信された第１コンテンツと、前記第２ユーザの第２端末から送信された第２コンテンツとを前記端末の表示部に前記グループのコンテンツとして表示することと、
前記第１端末から前記端末に送信された第３コンテンツを、前記第１ユーザと前記ユーザとのコンテンツとして前記表示部に表示することと、
前記端末に対する入力に基づいて、前記グループのコンテンツとして表示された前記第１コンテンツと、前記第３コンテンツとを、前記第１ユーザと前記ユーザとのコンテンツとして前記表示部に表示することとを含む。
【請求項１３】
第１ユーザと第２ユーザとを含むグループに含まれるユーザの端末であって、
前記第１ユーザの第１端末から送信された第１コンテンツと、前記第２ユーザの第２端末から送信された第２コンテンツとを前記グループのコンテンツとして表示し、前記第１端末から前記端末に送信された第３コンテンツを、前記第１ユーザと前記ユーザとのコンテンツとして表示する表示部と、
前記端末に対する入力に基づいて、前記グループのコンテンツとして表示された前記第１コンテンツと、前記第３コンテンツとを、前記第１ユーザと前記ユーザとのコンテンツとして前記表示部に表示する制御を行う制御部とを備える。
【手続補正２】
【補正対象書類名】明細書
【補正対象項目名】発明の名称
【補正方法】変更
【補正の内容】
【発明の名称】プログラム、表示方法、及び端末
【手続補正３】
【補正対象書類名】明細書
【補正対象項目名】０００１
【補正方法】変更
【補正の内容】
【０００１】
本発明は、プログラム、表示方法、及び端末に関する。
【手続補正４】
【補正対象書類名】明細書
【補正対象項目名】０００８
【補正方法】変更
【補正の内容】
【０００８】
本発明の一実施形態に係るプログラムは、第１ユーザと第２ユーザとを含むグループに含まれるユーザの端末によって実行されるプログラムであって、前記第１ユーザの第１端末から送信された第１コンテンツと、前記第２ユーザの第２端末から送信された第２コンテンツとを前記端末の表示部に前記グループのコンテンツとして表示することと、前記第１端末から前記端末に送信された第３コンテンツを、前記第１ユーザと前記ユーザとのコンテンツとして前記表示部に表示することと、前記端末に対する入力に基づいて、前記グループのコンテンツとして表示された前記第１コンテンツと、前記第３コンテンツとを、前記第１ユーザと前記ユーザとのコンテンツとして前記表示部に表示することとが前記端末に実行される。
また、本発明の一実施形態に係る表示方法は、第１ユーザと第２ユーザとを含むグループに含まれるユーザの端末の表示方法であって、前記第１ユーザの第１端末から送信された第１コンテンツと、前記第２ユーザの第２端末から送信された第２コンテンツとを前記端末の表示部に前記グループのコンテンツとして表示することと、前記第１端末から前記端末に送信された第３コンテンツを、前記第１ユーザと前記ユーザとのコンテンツとして前記表示部に表示することと、前記端末に対する入力に基づいて、前記グループのコンテンツとして表示された前記第１コンテンツと、前記第３コンテンツとを、前記第１ユーザと前記ユーザとのコンテンツとして前記表示部に表示することとを含む。
また、本発明の一実施形態に係る端末は、第１ユーザと第２ユーザとを含むグループに含まれるユーザの端末であって、前記第１ユーザの第１端末から送信された第１コンテンツと、前記第２ユーザの第２端末から送信された第２コンテンツとを前記グループのコンテンツとして表示し、前記第１端末から前記端末に送信された第３コンテンツを、前記第１ユーザと前記ユーザとのコンテンツとして表示する表示部と、前記端末に対する入力に基づいて、前記グループのコンテンツとして表示された前記第１コンテンツと、前記第３コンテンツとを、前記第１ユーザと前記ユーザとのコンテンツとして前記表示部に表示する制御を行う制御部とを備える。